(57)【要約】【課題】受信契約者の確実な管理ができるとともに、デジタル放送受信装置と限定受信処理装置との対応関係を容易かつ低コストで設定可能なデジタル放送受信システム、デジタル放送受信装置、限定受信処理装置、デジタル放送受信方法およびデジタル放送受信プログラムを提供する。【解決手段】ＣＡＳカード４０は、コマンド処理部４２、ＳＴＢ−ＩＤ保持部４３、ペアリング状態保持部４４および限定受信処理部４５を含む。ＳＴＢ−ＩＤ保持部４３は、ＳＴＢ２０のＳＴＢ−ＩＤ通知部２６から与えられるＳＴＢ−ＩＤを記憶する。ペアリング状態保持部４４は、ＳＴＢ２０とＣＡＳカード４０とのペアリング（組み合わせ）に関する情報を記憶する。コマンド処理部４２は、ＳＴＢ−ＩＤ保持部４３およびペアリング状態保持部４４の記憶内容に基づいて限定受信処理部４５による限定受信処理を制御する。【選択図】図１
2007288476.tif 000002
【特許請求の範囲】
【請求項１】
デジタル放送受信装置と、
前記デジタル放送受信装置に接続および取り外し可能に設けられる限定受信処理装置と、
判定部と、
解除制御部とを備え、
前記デジタル放送受信装置は、
受信された放送信号のスクランブルを解除してコンテンツを出力するスクランブル解除部と、
当該デジタル放送受信装置に固有の第１の識別子を保持する第１の保持部とを含み、
前記限定受信処理装置は、
予め許可された放送信号のスクランブルを解除するための解除情報を前記スクランブル解除部に供給する解除情報供給部と、
前記デジタル放送受信装置との対応関係を設定するための設定動作時に、前記第１の保持部により保持された第１の識別子に対応する第２の識別子を対応関係を示す情報として保持する第２の保持部とを含み、
前記判定部は、
前記デジタル放送受信装置と前記限定受信処理装置との対応関係の適否を判定する判定動作時に、前記第１の保持部により保持された第１の識別子と前記第２の保持部により保持された第２の識別子とが対応するか否かを判定し、
前記解除制御部は、
前記デジタル放送受信装置による放送信号の受信時に、前記第１の識別子と前記第２の識別子とが対応することを前記判定部の判定結果が示している場合に前記スクランブル解除部に解除情報が供給されるように前記解除情報供給部を制御することを特徴とするデジタル放送受信システム。
【請求項２】
前記判定部の判定結果を記憶する記憶部をさらに備え、
前記解除制御部は、
前記デジタル放送受信装置による放送信号の受信時に、前記第１の識別子と前記第２の識別子とが対応することを前記記憶部に記憶された判定結果が示している場合に前記スクランブル解除部に解除情報が供給されるように前記解除情報供給部を制御することを特徴とする請求項１記載のデジタル放送受信システム。
【請求項３】
前記デジタル放送受信装置と前記限定受信処理装置との対応関係の適否を判定する判定動作を指令する判定指令部をさらに備え、
前記記憶部は、
前記判定指令部の指令に応答して前記判定動作前の前記対応関係の適否の記憶内容を消去するまたは記憶された前記対応関係を否とすることを特徴とする請求項２記載のデジタル放送受信システム。
【請求項４】
前記判定指令部は、
前記対応関係の適否の放送信号受信時、前記デジタル放送受信装置への電力供給を開始する際、前記デジタル放送受信装置を初期化する際、前記限定受信処理装置への電力供給を開始する際、および前記デジタル放送受信装置に前記限定受信処理装置を接続する際のいずれかにおいて、前記判定部による判定動作を指令することを特徴とする請求項３記載のデジタル放送受信システム。
【請求項５】
前記デジタル放送受信装置と前記限定受信処理装置との対応関係を設定するための設定動作を指令する識別子設定指令部をさらに備え、
前記デジタル放送受信装置は、
前記識別子設定指令部の指令に応答して前記第１の保持部により保持された第１の識別子を前記限定受信処理装置に通知する通知部をさらに備え、
前記限定受信処理装置の前記第２の保持部は、前記通知部から通知される前記第１の識別子を第２の識別子として保持することを特徴とする請求項１〜４のいずれかに記載のデジタル放送受信システム。
【請求項６】
前記第２の保持部は、
前記デジタル放送受信装置と前記限定受信処理装置との対応関係を設定するための設定動作時に、前記通知部からの前記第１の識別子の通知に応答して前記設定動作前の保持内容を消去した後、新たな対応関係を設定する、または前記設定動作前の保持内容に新たな対応関係を上書きすることを特徴とする請求項５記載のデジタル放送受信システム。
【請求項７】
前記デジタル放送受信装置と前記限定受信処理装置との対応関係の適否を判定する判定動作時に、前記第１の識別子と前記第２の識別子とが対応しないことを前記判定部の判定結果が示している場合に、前記デジタル放送受信装置と前記限定受信処理装置とが対応しない旨の信号を出力する出力装置をさらに備えることを特徴とする請求項１〜６のいずれかに記載のデジタル放送受信システム。
【請求項８】
予め視聴を許可された放送信号のスクランブルを解除するための解除情報を生成する限定受信処理装置が接続および取り外し可能なデジタル放送受信装置であって、
前記限定受信処理装置が接続された状態で、前記限定受信処理装置により生成される前記解除情報に基づいて受信された放送信号のスクランブルを解除し、コンテンツを出力するスクランブル解除部と、
当該デジタル放送受信装置に固有の第１の識別子を保持する第１の保持部と、
前記デジタル放送受信装置と前記限定受信処理装置との対応関係を設定するための設定動作時に、前記第１の保持部に保持された前記第１の識別子を前記限定受信処理装置に通知して、前記第１の識別子を前記対応関係を示す第２の識別子として前記受信処理装置に保持させる通知部とを備えることを特徴とするデジタル放送受信装置。
【請求項９】
前記デジタル放送受信装置と前記限定受信処理装置との対応関係の適否を判定する判定動作時に、前記第１の保持部により保持された第１の識別子と前記限定受信処理装置に保持された第２の識別子とが対応するか否かを判定する判定部と、
前記判定部の判定結果を記憶する記憶部と、
前記デジタル放送受信装置による放送信号の受信時に、前記記憶部に保持された判定結果に基づいて前記限定受信処理装置による前記スクランブル解除部への解除情報の供給を制御する解除制御部とをさらに備えることを特徴とする請求項８記載のデジタル放送受信装置。
【請求項１０】
スクランブルのかけられた放送信号を受信可能で固有の第１の識別子を保持するデジタル放送受信装置に接続および取り外し可能に設けられる限定受信処理装置であって、
予め視聴を許可された放送信号のスクランブルを解除するための解除情報を前記デジタル放送受信装置に供給する解除情報供給部と、
前記デジタル放送受信装置と前記限定受信処理装置との対応関係を設定するための設定動作時に、前記デジタル放送受信装置に保持された第１の識別子に対応する第２の識別子を対応関係を示す情報として保持する第２の保持部とを含み、
前記解除情報供給部は、前記第１の識別子と前記第２の識別子との対応関係に基づいて前記解除情報を前記デジタル放送受信装置に供給することを特徴とする限定受信処理装置。
【請求項１１】
前記デジタル放送受信装置と前記限定受信処理装置との対応関係の適否を判定する判定動作時に、前記デジタル放送受信装置により保持された第１の識別子と前記第２の保持部に保持された第２の識別子とが対応するか否かを判定する判定部と、
前記判定部の判定結果を記憶する記憶部と、
前記デジタル放送受信装置による放送信号の受信時に、前記記憶部に保持された判定結果に基づいて前記解除情報供給部による前記デジタル放送受信装置への解除情報の供給を制御する解除制御部とをさらに備えることを特徴とする請求項１０記載の限定受信処理装置。
【請求項１２】
スクランブルのかけられた放送信号を受信可能なデジタル放送受信装置と、前記デジタル放送受信装置に接続および取り外し可能に設けられる限定受信処理装置とを備えるデジタル放送受信システムを用いたデジタル放送受信方法であって、
前記デジタル放送受信装置と前記限定受信処理装置との対応関係を設定するための設定時に、前記デジタル放送受信装置に保持された第１の識別子に対応する第２の識別子を前記限定受信処理装置に保持させるステップと、
前記デジタル放送受信装置と前記限定受信処理装置との対応関係の適否を判定する判定動作時に、前記デジタル放送受信装置により保持された第１の識別子と前記限定受信処理装置に保持された第２の識別子とが対応するか否かを判定するステップと、
前記判定するステップにより得られる判定結果を保持するステップと、
前記デジタル放送受信装置による放送信号の受信時に、前記判定結果を保持するステップにより保持された判定結果に基づいて、前記限定受信処理装置から前記デジタル放送受信装置へのスクランブルのかけられた放送信号を解除するための解除情報の供給を制御するステップとを備えることを特徴とするデジタル放送受信方法。
【請求項１３】
スクランブルのかけられた放送信号を受信可能なデジタル放送受信装置と、前記デジタル放送受信装置に接続および取り外し可能に設けられる限定受信処理装置とを備えるデジタル放送受信システムを制御するために処理装置により実行可能なデジタル放送受信プログラムであって、
前記デジタル放送受信装置と前記限定受信処理装置との対応関係を設定するための設定時に、前記デジタル放送受信装置に保持された第１の識別子に対応する第２の識別子を前記限定受信処理装置に保持させる処理と、
前記デジタル放送受信装置と前記限定受信処理装置との対応関係の適否を判定する判定動作時に、前記デジタル放送受信装置により保持された第１の識別子と前記限定受信処理装置に保持された第２の識別子とが対応するか否かを判定する処理と、
前記判定する処理により得られる判定結果を保持する処理と、
前記デジタル放送受信装置による放送信号の受信時に、前記判定結果を保持する処理により保持された判定結果に基づいて、前記限定受信処理装置から前記デジタル放送受信装置へのスクランブルのかけられた放送信号を解除するための解除情報の供給を制御する処理とを、前記処理装置に実行させることを特徴とするデジタル放送受信プログラム。
【発明の詳細な説明】
【技術分野】
【０００１】
本発明は、スクランブルがかけられたデジタル放送を受信して、そのスクランブルを解除するためのデジタル放送受信システム、デジタル放送受信装置、限定受信処理装置、デジタル放送受信方法およびデジタル放送受信プログラムに関する。
【背景技術】
【０００２】
デジタル放送に使用される限定受信方式（ Conditional Access System ）に関して、スクランブルおよびその関連情報の仕様、ならびにスクランブルに関わる受信装置の仕様が、非特許文献１に規定されている。非特許文献１に規定されている限定受信方式の概要を、具体例に基づき説明する。
【０００３】
図９は、限定受信方式の概要を説明するための図である。図９に示すように、例えば限定受信方式は、スクランブル部８１、第１の暗号化部８２、第２の暗号化部８３および多重化部８４を含む送信側装置８０、ならびに分離部９１、第１の復号化部９２、第２の復号化部９３およびデスクランブル部９４を含む受信側装置９０により実現される。
【０００４】
送信側装置８０において、スクランブル部８１には、映像データ、音声データおよび文字データを含む放送信号ＶＳ、ならびにスクランブル鍵Ｋｓが与えられる。スクランブル部８１は、スクランブル鍵Ｋｓを用いて放送信号ＶＳにスクランブルをかける。スクランブルがかけられた放送信号ＶＳは多重化部８４に与えられる。
【０００５】
第１の暗号化部８２には、番組の属性等を含む番組情報ＣＭ、スクランブル鍵Ｋｓならびにワーク鍵Ｋｗが与えられる。第１の暗号化部８２は、ワーク鍵Ｋｗを用いてスクランブル鍵Ｋｓの暗号化処理を行い、番組情報ＣＭおよび暗号化されたスクランブル鍵ＫｓをＥＣＭ（ Entitlement Control Message ）として多重化部８４に与える。
【０００６】
第２の暗号化部８３には、受信契約等の個別情報ＭＭ、ワーク鍵Ｋｗおよびマスタ鍵Ｋｍが与えられる。第２の暗号化部８３は、マスタ鍵Ｋｍを用いてワーク鍵Ｋｗの暗号化処理を行い、個別情報ＭＭおよび暗号化されたワーク鍵ＫｗをＥＭＭ（Entitlement Management Message）として多重化部８４に与える。
【０００７】
多重化部８４では、スクランブルがかけられた放送信号ＶＳにＥＣＭおよびＥＭＭが多重化される。多重化された放送信号は受信側装置９０に送信される。
【０００８】
受信側装置９０において、送信側装置８０から送信された放送信号は、分離部９１に入力される。分離部９１は、その放送信号からＥＣＭおよびＥＭＭを分離し、それぞれの情報を第１の復号化部９２および第２の復号化部９３に与える。
【０００９】
第２の復号化部９３において、暗号化されたワーク鍵Ｋｗがマスタ鍵Ｋｍにより復号化される。それにより、復号化されたワーク鍵Ｋｗが第１の復号化部９２に与えられる。
【００１０】
そして、第１の復号化部９２において、暗号化されたスクランブル鍵Ｋｓがワーク鍵Ｋｗにより復号化される。復号化されたスクランブル鍵Ｋｓがデスクランブル部９４に与えられる。
【００１１】
デスクランブル部９４は、第１の復号化部９２から与えられたスクランブル鍵Ｋｓを用いて放送信号ＶＳのデスクランブルを行う。それにより、スクランブルが解除された放送信号ＶＳから映像データ、音声データおよび文字データが復号され、出力される。
【００１２】
第１の復号化部９２からデスクランブル部９４へのスクランブル鍵Ｋｓの付与は、図示しない判定部がＥＣＭおよびＥＭＭの番組情報ＣＭおよび個別情報ＭＭに基づいて行う。
【００１３】
具体的には、この判定部は、ＥＣＭおよびＥＭＭの番組情報ＣＭおよび個別情報ＭＭに基づいてスクランブル鍵Ｋｓの付与を許可または不許可とする。これにより、受信側装置９０では、受信契約に応じた特定の番組のみが視聴可能となる。
【特許文献１】米国特許出願公開第２００５／００５０３３３  Ａ１号明細書
【非特許文献１】ＡＲＩＢ（社団法人  電波産業会）  ＳＴＤ−Ｂ２５  第３章
【発明の開示】
【発明が解決しようとする課題】
【００１４】
ところで、図９の点線で示すように、例えば第１の復号化部９２および第２の復号化部９３は、受信契約情報が予め設定されたモジュール９９に内蔵される。このようなモジュール９９として、近年では、受信側装置９０に脱着可能なＩＣ（ Integrated Circuit ）カードを用いることが一般化している。
【００１５】
以下の説明では、図９のモジュール９９のように、限定受信方式で用いられるＩＣカードをＣＡＳ（ Conditional Access System ）カードと呼ぶ。
【００１６】
ＣＡＳカードは、送信側装置８０を有する放送事業者（例えば、ＣＡＴＶ（ケーブルテレビ； cable television ）局等）が受信契約者の情報を管理し、受信契約された番組を各受信契約者に提供するために用いられ、受信側装置９０とともに放送事業者から受信契約者に貸与または提供される。
【００１７】
受信契約者は、放送局のベーシックチャネルの受信契約に加え、プレミアチャネルの追加契約、ならびにＰＰＶ（ペイ・パー・ビュー； Pay Per View ）およびＶＯＤ（ビデオ・オン・デマンド； Video On Demand ）コンテンツの受信契約を行うことができる。受信契約者は、これらの受信契約に応じて、例えば番組毎に視聴料金を放送局に支払う。
【００１８】
上記のように、ＣＡＳカードは、受信側装置９０と脱着が可能である。したがって、複数の受信側装置９０が存在するときには、それらの複数の受信側装置９０間で、受信契約情報が設定されたＣＡＳカードを差し替えることが可能である。これにより、各受信側装置９０でそのＣＡＳカードにより許可される番組を視聴することが可能となる。
【００１９】
デジタル放送の一般化に伴い、受信契約者の数は年々増加している。そこで、一の放送事業者に対して、複数の受信契約者が存在する場合を考える。
【００２０】
例えば複数の受信契約者が、互いに異なる番組について受信契約を行った後、各々が所有するＣＡＳカードを貸し借りすると、各受信契約者は自己が受信契約していない番組も視聴することができる。
【００２１】
換言すれば、各受信契約者は、視聴料金の支払いを行うことなく、ＣＡＳカードの貸し借りにより受信契約していない番組を視聴することができる。
【００２２】
これに対して、放送事業者は、受信契約時に受信側装置９０およびＣＡＳカードを受信契約者に与えるが、複数の受信契約者が、上記のようにＣＡＳカードを貸し借りすることを想定していない。すなわち、放送事業者は、受信側装置９０およびＣＡＳカードを一対の関係で提供することを前提として、受信契約者の管理をしている。
【００２３】
したがって、複数の受信契約者間でのＣＡＳカードの貸し借りは、放送事業者にとって視聴料金の回収の妨げとなる。
【００２４】
近年、ハードディスクを搭載したＤＶＲ（Digital Video Recorder）機能を備える受信側装置が開発されている。このような受信側装置を用いると、その使用者は、一度蓄積した好みの番組を何度も再生視聴できる。
【００２５】
一方、近年のデジタル高画質番組には、コピー制御（コピーワンスまたはコピーネバー）がかけられている。これにより、一度受信したデジタル高画質番組を記録媒体に記録して他の受信側装置で再生することは困難である。
【００２６】
したがって、受信側装置の使用者は、デジタル高画質番組を視聴する際にも、自己の受信側装置でそのデジタル高画質番組を受信することを希望する。
【００２７】
このような理由から、ＣＡＳカードの貸し借りは、複数の受信側装置の使用者間で頻繁に行われる可能性があり、放送事業者にとってますます視聴料金の回収の妨げとなる。
【００２８】
このような課題を解決するために、特許文献１に限定放送システムが提案されている。この限定放送システムにおいては、上記の受信側装置９０としてＳＴＢ（セット・トップ・ボックス； Set-Top Box ）が用いられ、ＣＡＳカードとしてＩＣカードが用いられている。
【００２９】
このＳＴＢの初期化を行う際には、ＩＣカードに記録された契約者情報がＳＴＢに与えられる。この契約者情報には、特定のＳＴＢを示す識別番号が含まれる。そこで、ＳＴＢは、自己の有する識別番号と、契約者情報として予め記憶されているＳＴＢの識別番号とを比較する。
【００３０】
ＳＴＢは、両者の識別番号が一致する場合に契約者情報に含まれる鍵情報を解除（復号）してＳＴＢの初期化を行い、両者の識別番号が一致しない場合にＳＴＢの初期化を中止する。
【００３１】
このように、ＳＴＢとＩＣカードとの間の対応付けを行うことにより、放送事業者は、ＳＴＢおよびＩＣカードを一対の関係で提供することが可能となる。
【００３２】
しかしながら、特許文献１の限定放送システムでは、以下の点で新たな課題が生じる。すなわち、近年ではＳＴＢのマルチベンダ化が進んでいるので、上記の機能を多機種のＳＴＢに適用するためには、ＳＴＢの開発工数が増大し、製造コストも増大する。
【００３３】
さらに、通常、ＩＣカード供給者とＳＴＢ供給者とは異なる。そのため、ＩＣカード供給者は、ＩＣカードを供給する際に、予めそのＩＣカードと対応して使用するＳＴＢの識別番号を記憶させておく必要がある。それにより、ＩＣカードの供給に関わる作業が煩雑になり、工数が増大する問題がある。
【００３４】
また、ＳＴＢとＩＣカードとの間の対応付けを再設定する場合、およびＩＣカードのみを交換する場合には、予めＩＣカードにＳＴＢの情報（上記の識別番号）を記録する必要がある。このような事前準備は、現地での作業が困難であり、限定放送システムの運用が煩雑となる。
【００３５】
後述する本願発明の説明においては、上述の受信側装置９０およびＳＴＢ等の放送信号を受信する装置をデジタル放送受信装置と称し、モジュール９９およびＩＣカード等の放送信号のスクランブルを解除するための装置を限定受信処理装置と称する。
【００３６】
本発明の目的は、受信契約者の確実な管理ができるとともに、デジタル放送受信装置と限定受信処理装置との対応関係を容易かつ低コストで設定可能なデジタル放送受信システム、デジタル放送受信装置、限定受信処理装置、デジタル放送受信方法およびデジタル放送受信プログラムを提供することである。
【課題を解決するための手段】
【００３７】
（１）第１の発明に係るデジタル放送受信システムは、デジタル放送受信装置と、デジタル放送受信装置に接続および取り外し可能に設けられる限定受信処理装置と、判定部と、解除制御部とを備え、デジタル放送受信装置は、受信された放送信号のスクランブルを解除してコンテンツを出力するスクランブル解除部と、当該デジタル放送受信装置に固有の第１の識別子を保持する第１の保持部とを含み、限定受信処理装置は、予め許可された放送信号のスクランブルを解除するための解除情報をスクランブル解除部に供給する解除情報供給部と、デジタル放送受信装置との対応関係を設定するための設定動作時に、第１の保持部により保持された第１の識別子に対応する第２の識別子を対応関係を示す情報として保持する第２の保持部とを含み、判定部は、デジタル放送受信装置と限定受信処理装置との対応関係の適否を判定する判定動作時に、第１の保持部により保持された第１の識別子と第２の保持部により保持された第２の識別子とが対応するか否かを判定し、解除制御部は、デジタル放送受信装置による放送信号の受信時に、第１の識別子と第２の識別子とが対応することを判定部の判定結果が示している場合にスクランブル解除部に解除情報が供給されるように解除情報供給部を制御するものである。
【００３８】
この発明に係るデジタル放送受信システムにおいては、スクランブルのかけられた放送信号を受信するデジタル放送受信装置に、限定受信処理装置が接続および取り外し可能に設けられる。
【００３９】
ここで、デジタル放送受信装置は第１の保持部を含み、第１の保持部には、当該デジタル放送受信装置に固有の第１の識別子が保持される。また、限定受信処理装置は、第２の保持部を含む。
【００４０】
デジタル放送受信装置との対応関係を設定するための設定動作時においては、第２の保持部に、第１の識別子に対応する第２の識別子が対応関係を示す情報として保持される。これにより、限定受信処理装置とデジタル放送受信装置との対応関係が設定される。
【００４１】
デジタル放送受信装置と限定受信処理装置との対応関係の適否を判定する判定動作時において、第１の保持部により保持された第１の識別子と第２の保持部により保持された第２の識別子とが対応するか否かが判定部により判定される。
【００４２】
デジタル放送受信装置による放送信号の受信時において、第１の識別子と第２の識別子とが対応することを判定部の判定結果が示している場合、解除情報制御部により解除情報供給部が制御される。
【００４３】
このとき、解除情報供給部により、予め許可された放送信号のスクランブルを解除するための解除情報がスクランブル解除部に供給される。そして、スクランブル解除部により放送信号のスクランブルが解除情報に基づいて解除され、コンテンツが出力される。
【００４４】
上記のように、設定動作時において、限定受信処理装置の第２の保持部に第１の識別子に対応する第２の識別子が保持されるので、予め対応関係を示す情報を作成して、限定受信処理装置およびデジタル放送受信装置に設定する必要がない。これにより、限定受信処理装置とデジタル放送受信装置との対応関係を容易かつ低コストで設定することができる。
【００４５】
また、デジタル放送受信装置に対応しない限定受信処理装置が接続されている場合には放送信号のスクランブルが解除されず、コンテンツが出力されない。
【００４６】
したがって、一部のコンテンツの視聴を許可されている受信契約者が、他のコンテンツの視聴を許可されている受信契約者の限定受信処理装置を借りることにより、許可されていないコンテンツを不正に視聴することを防止することができる。
【００４７】
（２）デジタル放送受信システムは、判定部の判定結果を記憶する記憶部をさらに備え、解除制御部は、デジタル放送受信装置による放送信号の受信時に、第１の識別子と第２の識別子とが対応することを記憶部に記憶された判定結果が示している場合にスクランブル解除部に解除情報が供給されるように解除情報供給部を制御してもよい。
【００４８】
この場合、判定部の判定結果が記憶部に記憶される。デジタル放送受信装置による放送信号の受信時において、解除情報供給部は、記憶部に記憶された判定結果が第１の識別子と第２の識別子とが対応することを示す場合に、スクランブル解除部に解除情報を供給する。これにより、コンテンツが出力される。
【００４９】
このように、判定結果を記憶部に記憶しておくことにより、デジタル放送受信装置による放送信号の受信時に、判定部が第１の識別子と第２の識別子との対応関係を判定する必要がなくなる。それにより、デジタル放送受信装置と限定受信処理装置との対応関係の適否の判定動作が容易かつ迅速に行われる。
【００５０】
（３）デジタル放送受信システムは、デジタル放送受信装置と限定受信処理装置との対応関係の適否を判定する判定動作を指令する判定指令部をさらに備え、記憶部は、判定指令部の指令に応答して判定動作前の対応関係の適否の記憶内容を消去するまたは記憶された対応関係を否としてもよい。
【００５１】
この場合、判定指令部がデジタル放送受信装置と限定受信処理装置との対応関係の適否を判定する判定動作を指令することにより、記憶部の判定動作前の対応関係の適否の記憶内容が消去され、または記憶された対応関係が否とされる。
【００５２】
このように、判定指令部による判定動作の指令ごとに記憶部の判定動作前の記憶内容が消去され、または記憶された対応関係が否とされるので、記憶部に記憶された過去の判定結果に基づいてデジタル放送受信装置と限定受信処理装置との対応関係の適否が誤って判定されることを十分に防止できる。
【００５３】
（４）判定指令部は、対応関係の適否の放送信号受信時、デジタル放送受信装置への電力供給を開始する際、デジタル放送受信装置を初期化する際、限定受信処理装置への電力供給を開始する際、およびデジタル放送受信装置に限定受信処理装置を接続する際の少なくともいずれかにおいて、判定部による判定動作を指令してもよい。
【００５４】
判定指令部がデジタル放送受信装置への電力供給を開始する際に判定部による判定動作を指令する場合、デジタル放送受信装置への電力供給が開始されるごとにデジタル放送受信装置と限定受信処理装置との対応関係の適否が判定される。
【００５５】
判定指令部がデジタル放送受信装置を初期化する際に判定部による判定動作を指令する場合、デジタル放送受信装置が初期化されるごとにデジタル放送受信装置と限定受信処理装置との対応関係の適否が判定される。
【００５６】
判定指令部が限定受信処理装置への電力供給を開始する際に判定部による判定動作を指令する場合、限定受信処理装置への電力供給が開始されるごとにデジタル放送受信装置と限定受信処理装置との対応関係の適否が判定される。
【００５７】
判定指令部がデジタル放送受信装置に限定受信処理装置を接続する際に判定部による判定動作を指令する場合、デジタル放送受信装置に限定受信処理装置が接続されるごとにデジタル放送受信装置と限定受信処理装置との対応関係の適否が判定される。
【００５８】
（５）デジタル放送受信システムは、デジタル放送受信装置と限定受信処理装置との対応関係を設定するための設定動作を指令する識別子設定指令部をさらに備え、デジタル放送受信装置は、識別子設定指令部の指令に応答して第１の保持部により保持された第１の識別子を限定受信処理装置に通知する通知部をさらに備え、限定受信処理装置の第２の保持部は、通知部から通知される第１の識別子を第２の識別子として保持してもよい。
【００５９】
この場合、識別子設定指令部から通知部にデジタル放送受信装置と限定受信処理装置との対応関係を設定するための設定動作が指令される。これにより、第１の保持部により保持された第１の識別子が通知部により限定受信処理装置に通知される。
【００６０】
限定受信処理装置において、第２の保持部には、通知部から通知される第１の識別子が第２の識別子として保持される。
【００６１】
これにより、限定受信処理装置の第２の保持部に、デジタル放送受信装置の通知部から通知される第１の識別子を第２の識別子として保持させることにより、限定受信処理装置にデジタル放送受信装置との対応関係を示す情報を十分容易に設定することができる。
【００６２】
（６）第２の保持部は、デジタル放送受信装置と限定受信処理装置との対応関係を設定するための設定動作時に、通知部からの第１の識別子の通知に応答して設定動作前の保持内容を消去した後、新たな対応関係を設定する、または設定動作前の保持内容に新たな対応関係を上書きしてもよい。
【００６３】
この場合、デジタル放送受信装置と限定受信処理装置との対応関係を設定するための設定動作時に、第２の保持部に保持される設定動作前の保持内容が、通知部からの第１の識別子の通知に応答して消去した後、新たな対応関係が設定され、または設定動作前の保持内容に新たな対応関係が上書きされる。
【００６４】
このように、デジタル放送受信装置と限定受信処理装置との対応関係を設定するための設定動作ごとに第２の保持部の設定動作前の保持内容が消去され、新たな対応関係が設定される、または設定動作前の保持内容に新たな対応関係が上書きされるので、第２の保持部に保持された過去の第２の識別子に基づいてデジタル放送受信装置と限定受信処理装置との対応関係の適否が誤って判定されることが十分に防止できる。
【００６５】
（７）デジタル放送受信システムは、デジタル放送受信装置と限定受信処理装置との対応関係の適否を判定する判定動作時に、第１の識別子と第２の識別子とが対応しないことを判定部の判定結果が示している場合に、デジタル放送受信装置と限定受信処理装置とが対応しない旨の信号を出力する出力装置をさらに備えてもよい。
【００６６】
この場合、第１の識別子と第２の識別子とが対応しないことを判定部の判定結果が示している場合に、デジタル放送受信装置と限定受信処理装置とが対応しない旨の信号が出力装置により出力される。これにより、受信契約者はデジタル放送受信装置と限定受信処理装置とが対応しない旨を容易に認識することができる。
【００６７】
（８）第２の発明に係るデジタル信号受信装置は、予め視聴を許可された放送信号のスクランブルを解除するための解除情報を生成する限定受信処理装置が接続および取り外し可能なデジタル放送受信装置であって、限定受信処理装置が接続された状態で、限定受信処理装置により生成される解除情報に基づいて受信された放送信号のスクランブルを解除し、コンテンツを出力するスクランブル解除部と、当該デジタル放送受信装置に固有の第１の識別子を保持する第１の保持部と、デジタル放送受信装置と限定受信処理装置との対応関係を設定するための設定動作時に、第１の保持部に保持された第１の識別子を限定受信処理装置に通知して、当該第１の識別子に対応する第２の識別子として保持させる通知部とを備えるものである。
【００６８】
この発明に係るデジタル信号受信装置においては、限定受信処理装置との対応関係を設定するための設定動作時に、通知部が第１の保持部に保持された第１の識別子を限定受信処理装置に通知し、第２の識別子として保持させる。これにより、限定受信処理装置にこのデジタル放送受信装置との対応関係を示す情報を十分容易に設定することができる。
【００６９】
そして、このデジタル放送受信装置に対応する限定受信処理装置が接続されているか否かが、第１の保持部に保持された第１の識別子および限定受信処理装置に保持された第２の識別子に基づいて判定される。
【００７０】
このデジタル放送受信装置に対応する限定受信処理装置が接続されていると判定された場合、予め視聴を許可された放送信号のスクランブルを解除するための解除情報が限定受信処理装置からこのデジタル信号受信装置のスクランブル解除部に供給される。
【００７１】
そして、スクランブル解除部により放送信号のスクランブルが解除情報に基づいて解除され、コンテンツが出力される。
【００７２】
上記のように、設定動作時において、限定受信処理装置に第１の識別子に対応する第２の識別子が保持されるので、予め対応関係を示す情報を作成して、限定受信処理装置およびデジタル放送受信装置に設定する必要がない。これにより、このデジタル放送受信装置と限定受信処理装置との対応関係を示す情報を容易かつ低コストで設定することができる。
【００７３】
また、このデジタル放送受信装置に対応しない限定受信処理装置が接続されている場合には放送信号のスクランブルが解除されず、コンテンツが出力されない。
【００７４】
したがって、一部のコンテンツの視聴を許可されている受信契約者が、他のコンテンツの視聴を許可されている受信契約者の限定受信処理装置を借りることにより、視聴を許可されていないコンテンツを不正に視聴することを防止することができる。
【００７５】
（９）デジタル信号受信装置は、デジタル放送受信装置と限定受信処理装置との対応関係の適否を判定する判定動作時に、第１の保持部により保持された第１の識別子と限定受信処理装置に保持された第２の識別子とが対応するか否かを判定する判定部と、判定部の判定結果を記憶する記憶部と、デジタル放送受信装置による放送信号の受信時に、記憶部に保持された判定結果に基づいて限定受信処理装置によるスクランブル解除部への解除情報の供給を制御する解除制御部とをさらに備えてもよい。
【００７６】
この場合、このデジタル信号受信装置において、このデジタル放送受信装置と限定受信処理装置との対応関係の適否を判定する判定動作時に、判定部が、第１の保持部により保持された第１の識別子と限定受信処理装置に保持された第２の識別子とが対応するか否かを判定する。判定部による判定結果は、記憶部に記憶される。
【００７７】
このデジタル放送受信装置による放送信号の受信時において、限定受信処理装置によるスクランブル解除部への解除情報の供給が、記憶部に保持された判定結果に基づいて解除制御部により制御される。これにより、コンテンツが出力される。
【００７８】
このように、判定結果を記憶部に記憶しておくことにより、このデジタル放送受信装置による放送信号の受信時に、第１の識別子と第２の識別子との対応関係を判定する必要がなくなる。それにより、このデジタル放送受信装置と限定受信処理装置との対応関係の適否の判定動作が容易かつ迅速に行われる。
【００７９】
（１０）第３の発明に係る限定受信処理装置は、スクランブルのかけられた放送信号を受信可能で固有の第１の識別子を保持するデジタル放送受信装置に接続および取り外し可能に設けられる限定受信処理装置であって、予め視聴を許可された放送信号のスクランブルを解除するための解除情報をデジタル放送受信装置に供給する解除情報供給部と、デジタル放送受信装置と限定受信処理装置との対応関係を設定するための設定動作時に、デジタル放送受信装置に保持された第１の識別子に対応する第２の識別子を保持する第２の保持部とを含み、解除情報供給部は、第１の識別子と第２の識別子との対応関係に基づいて解除情報をデジタル放送受信装置に供給するものである。
【００８０】
この発明に係る限定受信処理装置においては、デジタル放送受信装置との対応関係を設定するための設定動作時に、第２の保持部に、デジタル放送受信装置に保持された第１の識別子に対応する第２の識別子が保持される。これにより、この限定受信処理装置にデジタル放送受信装置との対応関係を示す情報を十分容易に設定することができる。
【００８１】
そして、この限定受信処理装置が対応するデジタル放送受信装置に接続されているか否かが、デジタル放送受信装置に保持された第１の識別子および第２の保持部に保持された第２の識別子に基づいて判定される。
【００８２】
この限定受信処理装置が対応するデジタル放送受信装置に接続されていると判定された場合、予め視聴を許可された放送信号のスクランブルを解除するための解除情報が解除情報供給部からデジタル信号受信装置に供給される。
【００８３】
そして、デジタル信号受信装置において、放送信号のスクランブルが解除情報に基づいて解除され、コンテンツが出力される。
【００８４】
上記のように、設定動作時において、この限定受信処理装置の第２の保持部に第１の識別子に対応する第２の識別子が保持されるので、予め対応関係を示す情報を作成して、この限定受信処理装置およびデジタル放送受信装置に設定する必要がない。これにより、デジタル放送受信装置との対応関係を示す情報を容易かつ低コストで設定することができる。
【００８５】
また、この限定受信処理装置が対応しないデジタル放送受信装置に接続されている場合には、放送信号のスクランブルが解除されず、コンテンツが出力されない。
【００８６】
したがって、一部のコンテンツの視聴を許可されている受信契約者が、他のコンテンツの視聴を許可されている受信契約者の限定受信処理装置を借りることにより、視聴を許可されていないコンテンツを不正に視聴することを防止することができる。
【００８７】
（１１）限定受信処理装置は、デジタル放送受信装置と限定受信処理装置との対応関係の適否を判定する判定動作時に、デジタル放送受信装置により保持された第１の識別子と第２の保持部に保持された第２の識別子とが対応するか否かを判定する判定部と、判定部の判定結果を記憶する記憶部と、デジタル放送受信装置による放送信号の受信時に、記憶部に保持された判定結果に基づいて解除情報供給部によるデジタル放送受信装置への解除情報の供給を制御する解除制御部とをさらに備えてもよい。
【００８８】
この場合、この限定受信処理装置において、デジタル放送受信装置との対応関係の適否を判定する判定動作時に、判定部が、デジタル放送受信装置により保持された第１の識別子と第２の保持部に保持された第２の識別子とが対応するか否かを判定する。判定部による判定結果は、記憶部に記憶される。
【００８９】
デジタル放送受信装置による放送信号の受信時において、解除情報供給部によるスクランブル解除部への解除情報の供給が、記憶部に保持された判定結果に基づいて解除制御部により制御される。これにより、コンテンツが出力される。
【００９０】
このように、判定結果を記憶部に記憶しておくことにより、デジタル放送受信装置による放送信号の受信時に、第１の識別子と第２の識別子との対応関係を判定する必要がなくなる。それにより、この限定受信処理装置とデジタル放送受信装置との対応関係の適否の判定動作が容易かつ迅速に行われる。
【００９１】
（１２）第４の発明に係るデジタル放送受信方法は、スクランブルのかけられた放送信号を受信可能なデジタル放送受信装置と、デジタル放送受信装置に接続および取り外し可能に設けられる限定受信処理装置とを備えるデジタル放送受信システムを用いたデジタル放送受信方法であって、デジタル放送受信装置と限定受信処理装置との対応関係を設定するための設定時に、デジタル放送受信装置に保持された第１の識別子に対応する第２の識別子を限定受信処理装置に保持させるステップと、デジタル放送受信装置と限定受信処理装置との対応関係の適否を判定する判定動作時に、デジタル放送受信装置により保持された第１の識別子と限定受信処理装置に保持された第２の識別子とが対応するか否かを判定するステップと、判定するステップにより得られる判定結果を保持するステップと、デジタル放送受信装置による放送信号の受信時に、判定結果を保持するステップにより保持された判定結果に基づいて、限定受信処理装置からデジタル放送受信装置へのスクランブルのかけられた放送信号を解除するための解除情報の供給を制御するステップとを備えるものである。
【００９２】
この発明に係るデジタル放送受信方法においては、デジタル放送受信装置と限定受信処理装置との対応関係を設定するための設定時に、デジタル放送受信装置に保持された第１の識別子に対応する第２の識別子が限定受信処理装置に保持される。
【００９３】
そして、デジタル放送受信装置と限定受信処理装置との対応関係の適否を判定する判定動作時に、デジタル放送受信装置により保持された第１の識別子と限定受信処理装置に保持された第２の識別子とが対応するか否かが判定され、この判定結果が保持される。
【００９４】
デジタル放送受信装置による放送信号の受信時には、保持された判定結果に基づいて、デジタル放送受信装置に解除情報が供給される。それにより、スクランブルのかけられた放送信号が解除され、コンテンツが出力される。
【００９５】
上記のように、デジタル放送受信装置と限定受信処理装置との対応関係を設定するための設定時において、限定受信処理装置に第１の識別子に対応する第２の識別子が保持されるので、予め対応関係を示す情報を作成して、限定受信処理装置およびデジタル放送受信装置に設定する必要がない。これにより、限定受信処理装置とデジタル放送受信装置との対応関係を容易かつ低コストで設定することができる。
【００９６】
また、デジタル放送受信装置に対応しない限定受信処理装置が接続されている場合には放送信号のスクランブルが解除されず、コンテンツが出力されない。
【００９７】
したがって、一部のコンテンツの視聴を許可されている受信契約者が、他のコンテンツの視聴を許可されている受信契約者の限定受信処理装置を借りることにより、視聴を許可されていないコンテンツを不正に視聴することを防止することができる。
【００９８】
（１３）第４の発明に係るデジタル放送受信プログラムは、スクランブルのかけられた放送信号を受信可能なデジタル放送受信装置と、デジタル放送受信装置に接続および取り外し可能に設けられる限定受信処理装置とを備えるデジタル放送受信システムを制御するために処理装置により実行可能なデジタル放送受信プログラムであって、デジタル放送受信装置と限定受信処理装置との対応関係を設定するための設定時に、デジタル放送受信装置に保持された第１の識別子に対応する第２の識別子を限定受信処理装置に保持させる処理と、デジタル放送受信装置と限定受信処理装置との対応関係の適否を判定する判定動作時に、デジタル放送受信装置により保持された第１の識別子と限定受信処理装置に保持された第２の識別子とが対応するか否かを判定する処理と、判定する処理により得られる判定結果を保持する処理と、デジタル放送受信装置による放送信号の受信時に、判定結果を保持する処理により保持された判定結果に基づいて、デジタル放送受信装置へのスクランブルのかけられた放送信号を解除するための解除情報の供給を制御する処理とを、処理装置に実行させるものである。
【００９９】
この発明に係るデジタル放送受信プログラムにおいては、デジタル放送受信装置と限定受信処理装置との対応関係を設定するための設定時に、デジタル放送受信装置に保持された第１の識別子に対応する第２の識別子が限定受信処理装置に保持される。
【０１００】
そして、デジタル放送受信装置と限定受信処理装置との対応関係の適否を判定する判定動作時に、デジタル放送受信装置により保持された第１の識別子と限定受信処理装置に保持された第２の識別子とが対応するか否かが判定され、この判定結果が保持される。
【０１０１】
デジタル放送受信装置による放送信号の受信時には、保持された判定結果に基づいて、デジタル放送受信装置に解除情報が供給される。それにより、スクランブルのかけられた放送信号が解除され、コンテンツが出力される。
【０１０２】
上記のように、デジタル放送受信装置と限定受信処理装置との対応関係を設定するための設定時において、限定受信処理装置に第１の識別子に対応する第２の識別子が保持されるので、予め対応関係を示す情報を作成して、限定受信処理装置およびデジタル放送受信装置に設定する必要がない。これにより、限定受信処理装置とデジタル放送受信装置との対応関係を容易かつ低コストで設定することができる。
【０１０３】
また、デジタル放送受信装置に対応しない限定受信処理装置が接続されている場合には放送信号のスクランブルが解除されず、コンテンツが出力されない。
【０１０４】
したがって、一部のコンテンツの視聴を許可されている受信契約者が、他のコンテンツの視聴を許可されている受信契約者の限定受信処理装置を借りることにより、視聴を許可されていないコンテンツを不正に視聴することを防止することができる。
【発明の効果】
【０１０５】
本発明に係るデジタル放送受信システム、デジタル放送受信装置、限定受信処理装置、デジタル放送受信方法およびデジタル放送受信プログラムによれば、デジタル放送受信装置と限定受信処理装置との対応関係の設定動作時において、限定受信処理装置の第２の保持部に第１の識別子に対応する第２の識別子が保持されるので、予め対応関係を示す情報を作成して、限定受信処理装置およびデジタル放送受信装置に設定する必要がない。これにより、限定受信処理装置とデジタル放送受信装置との対応関係を容易かつ低コストで設定することができる。
【０１０６】
また、デジタル放送受信装置に対応しない限定受信処理装置が接続されている場合には放送信号のスクランブルが解除されず、コンテンツが出力されない。
【０１０７】
したがって、一部のコンテンツの視聴を許可されている受信契約者が、他のコンテンツの視聴を許可されている受信契約者の限定受信処理装置を借りることにより、許可されていないコンテンツを不正に視聴することを防止することができる。
【発明を実施するための最良の形態】
【０１０８】
本発明の一実施の形態に係るデジタル放送受信システム、デジタル放送受信装置、限定受信処理装置、デジタル放送受信方法およびデジタル放送受信プログラムについて図面を参照しつつ説明する。
【０１０９】
以下では、デジタル放送受信装置の一例としてＳＴＢ（セット・トップ・ボックス； Set-Top Box ）を説明し、限定受信処理装置の一例としてＣＡＳ（ Conditional Access System ）カードを説明する。ＳＴＢには、予め固有の番号として識別番号（以下、ＳＴＢ−ＩＤと呼ぶ）が割り当てられている。
【０１１０】
また、本実施の形態において、デジタル放送受信システムは、放送事業者（例えば、ＣＡＴＶ（ケーブルテレビ； Cable Television ）局）が受信契約者を管理し、その受信契約者に契約した番組を限定して提供するために用いられる。
【０１１１】
（１）  デジタル放送受信システムの構成
図１は、本発明の一実施の形態に係るデジタル放送受信システム１の構成を示すブロック図である。
【０１１２】
図１に示すように、デジタル放送受信システム１は、ＳＴＢ２０およびＣＡＳカード４０からなる。ＳＴＢ２０は、ケーブルによりＣＡＴＶ局１０のヘッドエンド１１に接続されている。
【０１１３】
ＳＴＢ２０は、ＣＡＴＶ局１０のヘッドエンド１１から送信されるスクランブルのかけられた放送信号を受信し、その放送信号に基づいて映像データ、音声データ、文字データ等を表示装置５０および音声出力装置６０に出力する。
【０１１４】
表示装置５０は、例えば陰極線管（ＣＲＴ）、液晶ディスプレイまたはプラズマディスプレイパネル等により構成される。また、音声出力装置６０は、例えばスピーカ等により構成される。なお、音声出力装置６０は、表示装置５０が音声出力機能を有する場合には、表示装置５０を音声出力装置として兼用することにより必ずしも設ける必要はない。
【０１１５】
本実施の形態において、ヘッドエンド１１により送信される放送信号には、背景技術において説明したＥＣＭ（ Entitlement Control Message ）およびＥＭＭ（Entitlement Management Message）が多重化される。
【０１１６】
ＥＣＭは、番組情報および暗号化されたスクランブル鍵の情報をいう。また、ＥＭＭは、個別情報および暗号化されたワーク鍵の情報をいう。ＥＭＭには個別情報として、本発明の目的を達成するために後述するペアリング設定指示信号が付加される。
【０１１７】
以下の説明では、背景技術において説明したスクランブル鍵、ワーク鍵およびマスタ鍵を鍵情報と総称する。
【０１１８】
（１−ａ）  ＳＴＢの構成
図１に示すように、ＳＴＢ２０は、フロントエンド２１、フィルタリング部２２、デスクランブル部２３、デコーダ部２４、制御部２５、ＳＴＢ−ＩＤ通知部２６、ＳＴＢ−ＩＤ保持部２７、カードインターフェイス２８、接続状態検出部２９および電源スイッチ３０を備える。
【０１１９】
フロントエンド２１は、チューナおよび復調回路を含む。フロントエンド２１のチューナは、例えばヘッドエンド１１から送信される放送信号の周波数を選択することにより選局を行い、選局された放送信号を復調回路に与える。復調回路は、チューナから与えられた放送信号を復調し、ＭＰＥＧ（ Motion Picture Experts Group ）規格に準拠したトランスポートストリーム（以下、ＴＳと略記する）をフィルタリング部２２に与える。
【０１２０】
フィルタリング部２２は、フロントエンド２１から与えられるＴＳをフィルタリングし、ＥＣＭおよびＥＭＭを抽出する。デスクランブル部２３は、フロントエンド２１からフィルタリング部２２を通して与えられるＴＳのデスクランブルを行う。これにより、ＴＳのスクランブルが解除される。
【０１２１】
デコーダ部２４は、デスクランブル部２３から与えられるＴＳを映像信号および音声信号に復号し、それぞれ表示装置５０および音声出力装置６０に出力する。
【０１２２】
制御部２５は、ＣＰＵ（中央演算処理装置）および記憶装置またはマイクロコンピュータにより構成される。制御部２５は、ＳＴＢ２０の各構成部の動作を制御する。
【０１２３】
ＳＴＢ−ＩＤ保持部２７は、例えばメモリからなり、予めＳＴＢ２０に割り当てられたＳＴＢ−ＩＤを記憶する。カードインターフェイス２８は、後述するＣＡＳカード４０のＳＴＢインターフェイス４１と電気的に接続される。ＳＴＢ−ＩＤ通知部２６は、後述するＳＴＢ−ＩＤ通知要求信号に応答して、ＳＴＢ−ＩＤ保持部２７に記憶されているＳＴＢ−ＩＤを、カードインターフェイス２８を通してＣＡＳカード４０へ与える。
【０１２４】
接続状態検出部２９は、カードインターフェイス２８とＣＡＳカード４０のＳＴＢインターフェイス４１との接続を検出する。
【０１２５】
電源スイッチ３０は、使用者（例えば、受信契約者）により操作される。電源スイッチ３０がオンにされると、ＳＴＢ２０の各部に電力が供給されるとともに、電源がオンした旨の信号が制御部２５に与えられる。
【０１２６】
なお、図１の点線で示すように、ＳＴＢ２０には、必要に応じてリモートコントローラ３１および設定用スイッチ３２を設けてもよい。リモートコントローラ３１および設定用スイッチ３２の詳細は後述する。
【０１２７】
（１−ｂ）  ＣＡＳカードの構成
ＣＡＳカード４０は、ＳＴＢインターフェイス４１、コマンド処理部４２、ＳＴＢ−ＩＤ保持部４３、ペアリング状態保持部４４および限定受信処理部４５を備える。
【０１２８】
ＳＴＢインターフェイス４１は、ＳＴＢ２０のカードインターフェイス２８と電気的に接続される。コマンド処理部４２は、ＣＰＵ（中央演算処理装置）および記憶装置またはマイクロコンピュータにより構成される。コマンド処理部４２は、ＣＡＳカード４０の各構成部の動作を制御する。
【０１２９】
ＳＴＢ−ＩＤ保持部４３は、例えばメモリからなり、ＳＴＢ２０のＳＴＢ−ＩＤ通知部２６から与えられるＳＴＢ−ＩＤを記憶する。ペアリング状態保持部４４は、ＳＴＢ２０とＣＡＳカード４０とのペアリング（組み合わせ）に関する情報を記憶する。
【０１３０】
限定受信処理部４５は、図９の第１および第２の復号化部９２，９３と同様の機能を有する第１および第２の復号化部を備える。これにより、限定受信処理部４５は、ＳＴＢ２０から与えられるＥＣＭおよびＥＭＭ中の暗号化された鍵情報を復号化し、復号化された鍵情報をＳＴＢ２０に与える（限定受信処理）。
【０１３１】
（２）  各構成部の動作および信号の流れ
（２−ａ）  ペアリング設定時
本実施の形態においては、予めＳＴＢ２０に割り当てられたＳＴＢ−ＩＤをＣＡＳカード４０のＳＴＢ−ＩＤ保持部４３に記憶させる。それにより、ＳＴＢ２０と、そのＳＴＢ２０のＳＴＢ−ＩＤが記憶されたＣＡＳカード４０との間で固有の組み合わせが設定される（ペアリング設定）。
【０１３２】
ペアリング設定は、例えばＣＡＴＶ局１０が受信契約者に契約した番組を提供するためにデジタル放送受信システム１（ＳＴＢ２０およびＣＡＳカード４０）を受信契約者に与える際に行われる。すなわち、受信契約者の家屋にＳＴＢ２０およびＣＡＳカード４０を設置する際にペアリング設定が行われる。
【０１３３】
ペアリング設定時におけるＳＴＢ２０およびＣＡＳカード４０の各構成部の動作および信号の流れを図１に基づき説明する。
【０１３４】
ペアリング設定は、ＣＡＴＶ局１０が、ペアリング設定を開始すべき旨の指示信号（以下、ペアリング設定指示信号と呼ぶ）を設定対象となるＳＴＢ２０に送信することにより開始される（矢印ａ）。このペアリング設定指示信号は、放送信号に多重化されてヘッドエンド１１から送信されるＥＭＭに付加される。
【０１３５】
ＳＴＢ２０において、フロントエンド２１からＴＳがフィルタリング部２２を通してデスクランブル部２３に与えられる（矢印ｂ，ｃ）。
【０１３６】
上述のように、フィルタリング部２２はＴＳからＥＣＭおよびＥＭＭを抽出する。フィルタリング部２２により抽出されたＥＣＭおよびＥＭＭは、ＣＡＳカード４０に与えられる（矢印ｄ，ｅ）。
【０１３７】
ＣＡＳカード４０において、ＥＣＭおよびＥＭＭは、ＳＴＢインターフェイス４１を通じてコマンド処理部４２に与えられる（矢印ｆ）。
【０１３８】
ここで、コマンド処理部４２は、ＥＭＭにペアリング設定指示信号が付加されている場合、ＳＴＢ２０のＳＴＢ−ＩＤを通知すべき旨の要求信号（以下、ＳＴＢ−ＩＤ通知要求信号と呼ぶ）をＳＴＢ２０に与える（矢印ｇ，ｈ）。
【０１３９】
ＳＴＢ２０において、ＳＴＢ−ＩＤ通知要求信号は、カードインターフェイス２８からＳＴＢ−ＩＤ通知部２６に与えられる（矢印ｉ）。
【０１４０】
ＳＴＢ−ＩＤ通知部２６は、ＳＴＢ−ＩＤ通知要求信号に応答して、ＳＴＢ−ＩＤ保持部２７に予め記憶されているＳＴＢ−ＩＤを読み込み（矢印ｊ）、読み込んだＳＴＢ−ＩＤ、およびそのＳＴＢ−ＩＤを保持すべき旨の指令信号（以下、ＩＤ保持指令信号と呼ぶ）をＣＡＳカード４０に与える（矢印ｌ，ｅ）。
【０１４１】
ＣＡＳカード４０において、ＳＴＢ２０から与えられたＳＴＢ−ＩＤおよびＩＤ保持指令信号は、ＳＴＢインターフェイス４１からコマンド処理部４２に与えられる（矢印ｆ）。
【０１４２】
コマンド処理部４２は、ＩＤ保持指令信号に応答して、与えられたＳＴＢ−ＩＤをＳＴＢ−ＩＤ保持部４３に記憶する（矢印ｏ１）。また、コマンド処理部４２は、現在接続されているＳＴＢ２０のＳＴＢ−ＩＤと、ＳＴＢ−ＩＤ保持部４３に記憶されたＳＴＢ−ＩＤとが一致している旨、すなわち、ペアリングが一致状態である旨をペアリング状態保持部４４に記憶する（矢印ｐ１）。
【０１４３】
このように、ＳＴＢ２０およびＣＡＳカード４０が、それぞれ共通のＳＴＢ−ＩＤを保持することにより、ペアリング設定が完了する。
【０１４４】
本例では、ヘッドエンド１１からデジタル放送受信システム１にペアリング設定指示信号が送信される旨を説明したが、ＣＡＳカード４０へのペアリング設定指示信号の送信方法はこれに限られない。
【０１４５】
例えば、リモートコントローラ３１または設定用スイッチ３２からＳＴＢ２０の制御部２５にペアリング設定指示信号を与えてもよい。この場合、作業者（例えば、ＳＴＢ２０およびＣＡＳカード４０の設置作業者）がリモートコントローラ３１または設定用スイッチ３２を操作することによりＳＴＢ２０とＣＡＳカード４０との間のペアリング設定が受信契約者宅で容易に行われる。
【０１４６】
また、リモートコントローラ３１または設定用スイッチ３２からＳＴＢ２０の制御部２５を介してＳＴＢ−ＩＤ通知部２６にＳＴＢ−ＩＤ通知要求信号を与えてもよく、リモートコントローラ３１または設定用スイッチ３２からＳＴＢ２０の制御部２５を介してＣＡＳカード４０のコマンド処理部４２にＩＤ保持指令信号を与えてもよい。この場合においても、作業者がリモートコントローラ３１または設定用スイッチ３２を操作することによりＳＴＢ２０とＣＡＳカード４０との間のペアリング設定が受信契約者宅で容易に行われる。
【０１４７】
上記の動作は、後述するペアリング設定プログラムに基づいて、ＳＴＢ２０の制御部２５およびＳＴＢ−ＩＤ通知部２６、ならびにＣＡＳカード４０のコマンド処理部４２により行われる。
【０１４８】
（２−ｂ）  ペアリングチェック時
本実施の形態に係るデジタル放送受信システム１では、上記のペアリング設定がなされることにより、ＳＴＢ２０の電源スイッチ３０をオンする際、ＳＴＢ２０を初期化する際、およびＳＴＢ２０にＣＡＳカード４０を接続する際に、ＳＴＢ２０のＳＴＢ−ＩＤと、ＣＡＳカード４０に記憶されたＳＴＢ−ＩＤとが一致しているか否かが判別される。ＳＴＢ２０の電源はリモートコントローラ３１でオンしてもよい。
【０１４９】
すなわち、ＳＴＢ２０と、そのＳＴＢ２０に接続されたＣＡＳカード４０との間で、ペアリングが一致状態であるか否かが判別される（ペアリングチェック）。
【０１５０】
ペアリングチェック時におけるＳＴＢ２０およびＣＡＳカード４０の各構成部の動作および信号の流れを図１に基づき説明する。
【０１５１】
受信契約者が電源スイッチ３０をオンにすると、電源オン後に発生する初期化信号がペアリングチェックを開始する旨の信号（以下、ペアリングチェック開始信号と呼ぶ）として電源スイッチ３０から制御部２５に与えられる（矢印２ａ）。
【０１５２】
また、受信契約者がＳＴＢ２０の図示しない操作部を操作してＳＴＢ２０を初期化すると、初期化信号がペアリングチェック開始信号として制御部２５に与えられる。
【０１５３】
さらに、受信契約者がＳＴＢ２０にＣＡＳカード４０を接続すると、ＳＴＢ２０とＣＡＳカード４０とが接続された旨の信号がペアリングチェック開始信号として接続状態検出部２９から制御部２５に与えられる（矢印２ｂ）。
【０１５４】
ＳＴＢ２０の制御部２５は、ペアリングチェック開始信号に応答して、ＳＴＢ−ＩＤをＣＡＳカード４０に通知すべき旨の信号をＳＴＢ−ＩＤ通知部２６に与える（矢印ｎ）。これにより、ＳＴＢ−ＩＤ通知部２６は、ＳＴＢ−ＩＤ保持部２７に予め記憶されているＳＴＢ−ＩＤをＣＡＳカード４０に与える（矢印ｌ，ｅ）。
【０１５５】
また、制御部２５は、ペアリングチェック開始信号に応答して、ＳＴＢ２０からＣＡＳカード４０に与えられたＳＴＢ−ＩＤとＳＴＢ−ＩＤ保持部４３に記憶されたＳＴＢ−ＩＤとを比較すべき旨の指令信号（以下、ＩＤ確認比較信号と呼ぶ）をＣＡＳカード４０に与える（矢印ｍ，ｅ）。
【０１５６】
ＣＡＳカード４０において、ＳＴＢ２０から与えられたＳＴＢ−ＩＤおよびＩＤ確認比較信号は、ＳＴＢインターフェイス４１からコマンド処理部４２に与えられる（矢印ｆ）。
【０１５７】
コマンド処理部４２は、ＩＤ確認比較信号に応答して、与えられたＳＴＢ−ＩＤとＳＴＢ−ＩＤ保持部４３に記憶されているＳＴＢ−ＩＤとを比較する（矢印ｏ２）。
【０１５８】
コマンド処理部４２は、与えられたＳＴＢ−ＩＤとＳＴＢ−ＩＤ保持部４３に記憶されたＳＴＢ−ＩＤとが一致するときにペアリングが一致状態である旨をペアリング状態保持部４４に記憶する（矢印ｐ１）。
【０１５９】
一方、コマンド処理部４２は、与えられたＳＴＢ−ＩＤとＳＴＢ−ＩＤ保持部４３に記憶されたＳＴＢ−ＩＤとが一致しないときにペアリングが不一致状態である旨をペアリング状態保持部４４に記憶する（矢印ｐ１）。
【０１６０】
このように、本実施の形態に係るデジタル放送受信システム１においては、電源スイッチ３０をオンしたとき、ＳＴＢ２０を初期化したとき、またはＳＴＢ２０にＣＡＳカード４０を接続したときにペアリングチェックが開始される。
【０１６１】
ペアリングが一致状態または不一致状態である旨がＣＡＳカード４０のペアリング状態保持部４４に記憶されることにより、ペアリングチェックが完了する。
【０１６２】
なお、上記のペアリングチェックの開始時には、初めにＣＡＳカード４０のペアリング状態保持部４４の記憶内容が消去または不一致状態とされる。これにより、予めペアリング状態保持部４４にペアリングが一致状態である旨が記憶されている場合でも、ペアリングチェックの開始とともに、ペアリングが一致状態である旨が消去され、または不一致状態とされる。
【０１６３】
上記のほか、ＣＡＳカード４０がＳＴＢ２０に接続されることにより、ＣＡＳカード４０が通電され、その通電に基づきＣＡＳカード４０が初期化されることにより、ＣＡＳカード４０はペアリングチェックを開始してもよい。
【０１６４】
また、コマンド処理部４２は、ＩＤ確認比較信号が与えられない場合、ＣＡＳカード４０のペアリング状態保持部４４のペアリング状態を不一致状態としてもよい。
【０１６５】
したがって、ペアリングチェックの機能を有さないＳＴＢ２０、すなわちＩＤ確認比較信号をＣＡＳカード４０に出力しないＳＴＢ２０で、予めペアリングが一致状態である旨が記憶されたＣＡＳカード４０を用いて不正に番組を視聴することが防止される。
【０１６６】
上記の動作は、後述するペアリングチェックプログラムに基づいて、ＳＴＢ２０の制御部２５およびＳＴＢ−ＩＤ通知部２６、ならびにＣＡＳカード４０のコマンド処理部４２により行われる。
【０１６７】
（２−ｃ）  ＳＴＢにおける放送信号の受信時
本実施の形態に係るデジタル放送受信システム１においては、ＳＴＢ２０とＣＡＳカード４０とのペアリングが一致状態である場合に限り、限定受信処理部４５による限定受信処理が実行される。
【０１６８】
一方、ＳＴＢ２０とＣＡＳカード４０とのペアリングが一致状態でない場合には、限定受信処理部４５による限定受信処理は実行されず、デスクランブル部２３によるＴＳのデスクランブルも行われない。
【０１６９】
ＳＴＢ２０における放送信号の受信時のＳＴＢ２０およびＣＡＳカード４０の各構成部の動作および信号の流れを図１に基づき説明する。
【０１７０】
上述のように、ＳＴＢ２０のフロントエンド２１はＥＣＭおよびＥＭＭが多重化された放送信号を受信する（矢印ａ）。
【０１７１】
ＳＴＢ２０において、フロントエンド２１からフィルタリング部２２にＴＳが与えられる（矢印ｂ）。フィルタリング部２２によりＴＳから抽出されたＥＣＭおよびＥＭＭは、ＣＡＳカード４０に与えられる（矢印ｄ，ｅ）。
【０１７２】
ＣＡＳカード４０において、ＥＣＭおよびＥＭＭはＳＴＢインターフェイス４１からコマンド処理部４２に与えられる（矢印ｆ）。
【０１７３】
このとき、コマンド処理部４２は、ペアリング状態保持部４４の記憶内容を読み込む（矢印ｐ２）。コマンド処理部４２は、ペアリング状態保持部４４にペアリングが一致状態である旨が記憶されている場合に、限定受信処理を行う旨の指令信号を限定受信処理部４５に与える（矢印ｑ）。
【０１７４】
限定受信処理を行う旨の指令信号を受けると、限定受信処理部４５は、ＥＣＭおよびＥＭＭに基づいて、そのＥＣＭに関する番組が受信契約者により契約された番組であるか否かを判別する。
【０１７５】
そして、限定受信処理部４５は、そのＥＣＭに関する番組が受信契約者により契約された番組である場合に、ＥＭＭおよびＥＣＭに基づいてその番組の鍵情報を復号化し、復号化した鍵情報をＳＴＢ２０の制御部２５に与える（矢印ｒ，ｇ，ｈ，ｕ）。
【０１７６】
それにより、制御部２５は、与えられた鍵情報をデスクランブル部２３に与える（矢印ｖ）。これにより、デスクランブル部２３は、ＴＳのデスクランブルを行う。それにより、スクランブルが解除されたＴＳがデコーダ部２４に与えられる（矢印ｗ）。デコーダ部２４により復号化された映像信号および音声信号が表示装置５０および音声出力装置６０に出力される（矢印ｘ１，ｘ２）。
【０１７７】
一方、限定受信処理部４５は、そのＥＣＭに関する番組が受信契約者により契約された番組でない場合に、その番組の鍵情報を復号化しない。
【０１７８】
この場合、限定受信処理部４５は、選局された番組が契約されていない旨の信号をＳＴＢ２０に与える（矢印ｒ，ｇ，ｈ）。
【０１７９】
これにより、ＳＴＢ２０においては、選局された番組が契約されていない旨の信号がＴＳに多重されデコーダ部２４から表示装置５０に出力される（矢印ｘ１）。それにより、選局された番組が契約されていない旨が表示装置５０に表示される。
【０１８０】
上記に対して、コマンド処理部４２は、ペアリング状態保持部４４にペアリングが不一致状態である旨が記憶されている場合に、限定受信処理を行わない旨の指令信号を限定受信処理部４５に与える（矢印ｑ）。これにより、限定受信処理部４５は限定受信処理を行わない。
【０１８１】
この場合、コマンド処理部４２は、ペアリングが不一致状態である旨の信号をＳＴＢ２０に与える（矢印ｇ，ｈ）。ＳＴＢ２０においては、ペアリングが不一致状態である旨の信号がＴＳに多重されデコーダ部２４から表示装置５０に出力される（矢印ｘ１）。それにより、ペアリングが不一致状態である旨が表示装置５０に表示される。
【０１８２】
上記の動作は、後述する放送信号受信プログラムに基づいて、ＳＴＢ２０の制御部２５およびＳＴＢ−ＩＤ通知部２６、ならびにＣＡＳカード４０のコマンド処理部４２により行われる。
【０１８３】
（３）  デジタル放送受信プログラム
本実施の形態に係るデジタル放送受信プログラムは、ペアリング設定プログラム、ペアリングチェックプログラムおよび放送信号受信プログラムからなる。以下、各プログラムをフローチャートを用いて説明する。
【０１８４】
ＳＴＢ２０における処理は制御部２５またはＳＴＢ−ＩＤ通知部２６により制御され、ＣＡＳカード４０における処理はコマンド処理部４２により制御される。
【０１８５】
（３−ａ）  ペアリング設定プログラム
図２および図３は、ペアリング設定プログラムのフローチャートである。図２にＳＴＢ２０におけるペアリング設定プログラムが示され、図３にＣＡＳカード４０におけるペアリング設定プログラムが示されている。以下では、ペアリング設定プログラムに基づくＳＴＢ２０およびＣＡＳカード４０の動作を個別に説明する。
【０１８６】
図２に示すように、ＳＴＢ２０においては、初めに、図１の制御部２５が、ＥＭＭを受信したか否かを判別する（ステップＳ１０）。ＥＭＭを受信していない場合、制御部２５はＥＭＭを受信するまで待機する。
【０１８７】
ＥＭＭを受信した場合、制御部２５は、受信したＥＭＭをＣＡＳカード４０に与える（ステップＳ１１）。
【０１８８】
続いて、ＳＴＢ２０のＳＴＢ−ＩＤ通知部２６は、ＣＡＳカード４０からＳＴＢ−ＩＤ通知要求信号が与えられたか否かを判別する（ステップＳ１２）。ＳＴＢ−ＩＤ通知要求信号が与えられていない場合、制御部２５は、ＳＴＢ−ＩＤ通知要求信号が与えられるまで待機する。
【０１８９】
ここで、制御部２５は、所定の待機時間内にＳＴＢ−ＩＤ通知要求信号が与えられない場合、この処理を終了してもよい。
【０１９０】
ＳＴＢ−ＩＤ通知要求信号が与えられた場合、制御部２５は、図１のＳＴＢ−ＩＤ保持部２７に予め記憶されているＳＴＢ−ＩＤおよびＩＤ保持指令信号をＣＡＳカード４０に与える（ステップＳ１３）。このようにして、ペアリング設定プログラムに基づく制御部２５の動作が終了する。
【０１９１】
図３に示すように、ＣＡＳカード４０においては、初めに、コマンド処理部４２が、ＳＴＢ２０からＥＭＭが与えられたか否かを判別する（ステップＳ２１）。ＳＴＢ２０からＥＭＭが与えられていない場合、コマンド処理部４２はＥＭＭが与えられるまで待機する。
【０１９２】
ＳＴＢ２０からＥＭＭが与えられた場合、コマンド処理部４２は、与えられたＥＭＭにペアリング設定指示信号が付加されているか否かを判別する（ステップＳ２２）。
【０１９３】
ＥＭＭにペアリング設定指示信号が付加されている場合、コマンド処理部４２は、ＳＴＢ−ＩＤ通知要求信号をＳＴＢ２０に与える（ステップＳ２３）。
【０１９４】
その後、コマンド処理部４２は、ＳＴＢ２０からＳＴＢ−ＩＤおよびＩＤ保持指令信号が与えられたか否かを判別する（ステップＳ２４）。ＳＴＢ−ＩＤおよびＩＤ保持指令信号が与えられていない場合、コマンド処理部４２はＳＴＢ−ＩＤおよびＩＤ保持指令信号が与えられるまで待機する。
【０１９５】
ここで、制御部２５は、所定の待機時間内にＳＴＢ−ＩＤおよびＩＤ保持指令信号が与えられない場合、ペアリング不一致である旨を図１のペアリング状態保持部４４に記憶し、この処理を終了してもよい。ここで、ペアリング不一致である旨を記憶するとは、例えばペアリングの状態を示すメモリ上の値が「一致：１」で、「不一致：０」の場合にペアリングの状態を示すメモリ上の値を「不一致：０」に設定または上書きすることをいう。このように、ペアリング状態保持部４４にペアリング状態が不一致である旨が記憶される。
【０１９６】
ＳＴＢ２０からＳＴＢ−ＩＤおよびＩＤ保持指令信号が与えられた場合、コマンド処理部４２は、与えられたＳＴＢ−ＩＤを図１のＳＴＢ−ＩＤ保持部４３に記憶する（ステップＳ２５）。
【０１９７】
そして、コマンド処理部４２は、ＳＴＢ２０から与えられたＳＴＢ−ＩＤと、ＳＴＢ−ＩＤ保持部４３に記憶されたＳＴＢ−ＩＤとが一致している旨、すなわち、ペアリングが一致状態である旨を図１のペアリング状態保持部４４に記憶する（ステップＳ２６）。
【０１９８】
これにより、ペアリング設定プログラムに基づくコマンド処理部４２の動作が終了する。
【０１９９】
また、上記ステップＳ２２において、ＥＭＭにペアリング設定指示信号が付加されていない場合、コマンド処理部４２はペアリング設定プログラムに基づく動作を終了する。
【０２００】
（３−ｂ）  ペアリングチェックプログラム
図４および図５は、ペアリングチェックプログラムのフローチャートである。図４にＳＴＢ２０におけるペアリングチェックプログラムが示され、図５にＣＡＳカード４０におけるペアリングチェックプログラムが示されている。以下では、ペアリングチェックプログラムに基づくＳＴＢ２０およびＣＡＳカード４０の動作を個別に説明する。
【０２０１】
図４に示すように、ＳＴＢ２０においては、初めに、制御部２５が、ペアリングチェック開始信号が与えられたか否かを判別する（ステップＳ３１）。なお、ペアリングチェック開始信号は、上述のように、ＳＴＢ２０の電源をオンする際、ＳＴＢ２０を初期化する際、およびＳＴＢ２０にＣＡＳカード４０を接続する際に制御部２５に与えられる。
【０２０２】
ペアリングチェック開始信号が与えられた場合、制御部２５は、そのペアリングチェック開始信号をＣＡＳカード４０に与える（ステップＳ３２）。
【０２０３】
また、制御部２５は、ペアリングチェック開始信号に応答してＳＴＢ−ＩＤ通知部２６を制御する。これにより、ＳＴＢ−ＩＤ通知部２６は、図１のＳＴＢ−ＩＤ保持部２７に予め記憶されたＳＴＢ−ＩＤおよびＩＤ確認比較信号をＣＡＳカード４０に与える（ステップＳ３３）。
【０２０４】
次に、制御部２５は、ペアリングが一致状態または不一致状態である旨の信号をＣＡＳカード４０から受けることにより、現在のペアリングが一致状態であるか否かを判別する（ステップＳ３４）。
【０２０５】
ペアリングが一致状態である場合、制御部２５は、ペアリングチェックプログラムに基づく動作を終了する。一方、ペアリングが一致状態でない場合、制御部２５は、ペアリングが不一致状態である旨を外部（例えば、図１の表示装置５０）に出力する（ステップＳ３６）。そして、制御部２５は、ペアリングチェックプログラムに基づく動作を終了する。
【０２０６】
図５に示すように、ＣＡＳカード４０においては、初めに、コマンド処理部４２が、ＳＴＢ２０からペアリングチェック開始信号が与えられたか否かを判別する（ステップＳ４１）。ＳＴＢ２０からペアリングチェック開始信号が与えられていない場合、コマンド処理部４２は、ペアリングチェック開始信号が与えられるまで待機する。
【０２０７】
ＳＴＢ２０からペアリングチェック開始信号が与えられた場合、コマンド処理部４２は、図１のペアリング状態保持部４４に既に記憶されているペアリングの状態に関する記憶内容を消去する（ステップＳ４２）。
【０２０８】
続いて、コマンド処理部４２は、ＳＴＢ２０からＳＴＢ−ＩＤおよびＩＤ確認比較信号が与えられたか否かを判別する（ステップＳ４３）。ＳＴＢ２０からＳＴＢ−ＩＤおよびＩＤ確認比較信号が与えられていない場合、コマンド処理部４２は、ＳＴＢ−ＩＤおよびＩＤ確認比較信号が与えられるまで待機する。
【０２０９】
ここで、コマンド処理部４２は、所定の待機時間内にＳＴＢ−ＩＤおよびＩＤ確認比較信号が与えられない場合、ペアリングが不一致状態である旨をペアリング状態保持部４４に記憶してもよい（後述するステップＳ４８）。
【０２１０】
ＳＴＢ２０からＳＴＢ−ＩＤおよびＩＤ確認比較信号が与えられた場合、コマンド処理部４２は、図１のＳＴＢ−ＩＤ保持部４３に記憶されたＳＴＢ−ＩＤと、与えられたＳＴＢ−ＩＤとを比較し（ステップＳ４４）、それらのＳＴＢ−ＩＤが一致しているか否かを判別する（ステップＳ４５）。
【０２１１】
それらのＳＴＢ−ＩＤが一致している場合、コマンド処理部４２は、ペアリングが一致状態である旨をペアリング状態保持部４４に記憶し（ステップＳ４６）、ペアリングが一致状態である旨の信号をＳＴＢ２０に与える（ステップＳ４７）。
【０２１２】
それらのＳＴＢ−ＩＤが一致していない場合、コマンド処理部４２は、ペアリングが不一致状態である旨をペアリング状態保持部４４に記憶し（ステップＳ４８）、ペアリングが不一致状態である旨の信号をＳＴＢ２０に与える（ステップＳ４９）。このようにして、ペアリングチェックプログラムに基づくコマンド処理部４２の動作が終了する。
【０２１３】
なお、ステップＳ４２においては、ペアリング状態保持部４４に既に記憶されているペアリングの状態に関する記憶内容が消去されるが、これに代えて、ペアリングチェック信号が与えられることにより、ペアリング状態保持部４４に既に記憶されているペアリングの状態に関する記憶内容をペアリングが不一致状態であるとして再設定してもよい。
【０２１４】
また、ステップＳ４２の動作は必ずしも行われる必要はない。ステップＳ４２の動作を行う代わりに、ステップＳ４６またはステップＳ４８において、ペアリング状態保持部４４に既に記憶されているペアリングの状態に関する記憶内容にペアリングが一致状態または不一致状態である旨を上書きしてもよい。
【０２１５】
（３−ｃ）  放送信号受信プログラム
図６および図７は、放送信号受信プログラムのフローチャートである。図６にＳＴＢ２０における放送信号受信プログラムが示され、図７にＣＡＳカード４０における放送信号受信プログラムが示されている。以下では、放送信号受信プログラムに基づくＳＴＢ２０およびＣＡＳカード４０の動作を個別に説明する。
【０２１６】
図６に示すように、ＳＴＢ２０においては、初めに、制御部２５が、受信される放送信号から抽出されたＥＣＭおよびＥＭＭをＣＡＳカード４０に与える（ステップＳ５１）。
【０２１７】
そして、制御部２５は、ＣＡＳカード４０から視聴する番組に関する鍵情報が与えられたか否かを判別する（ステップＳ５２）。
【０２１８】
ＣＡＳカード４０から鍵情報が与えられた場合、制御部２５は、その鍵情報を図１のデスクランブル部２３に与える。それにより、デスクランブル部２３がＴＳのデスクランブルを行う（ステップＳ５５）。
【０２１９】
これにより、上述のように、スクランブルが解除されたＴＳがデコーダ部２４に与えられ、デコーダ部２４により復号化された映像信号および音声信号が図１の表示装置５０および音声出力装置６０に出力される。
【０２２０】
ＣＡＳカード４０から鍵情報が与えられない場合、制御部２５は、ＣＡＳカード４０から選局された番組が契約されていない旨の信号が与えられたか否かを判別する（ステップＳ５３）。
【０２２１】
ＣＡＳカード４０から番組が契約されていない旨の信号が与えられた場合、制御部２５は、番組が契約されていない旨の信号を外部（例えば、表示装置５０）に出力する（ステップＳ５６）。
【０２２２】
ＣＡＳカード４０から番組が契約されていない旨の信号が与えられていない場合、制御部２５は、ＣＡＳカード４０からペアリングが不一致状態である旨の信号が与えられたか否かを判別する（ステップＳ５４）。
【０２２３】
ＣＡＳカード４０からペアリングが不一致状態である旨の信号が与えられた場合、制御部２５は、ペアリングが不一致状態である旨の信号を外部（例えば、表示装置５０）に出力する（ステップＳ５７）。
【０２２４】
ＣＡＳカード４０からペアリングが不一致状態である旨の信号が与えられていない場合、制御部２５は、ステップＳ５２に戻る。このように、放送信号受信プログラムに基づく制御部２５の動作は、ステップＳ５５〜Ｓ５７のいずれかにより終了する。
【０２２５】
なお、ステップＳ５３とステップＳ５４の順序は入れ替わってもよい。
【０２２６】
図７に示すように、ＣＡＳカード４０においては、初めに、コマンド処理部４２が、ＳＴＢ２０からＥＣＭおよびＥＭＭが与えられたか否かを判別する（ステップＳ６１）。ＳＴＢ２０からＥＣＭおよびＥＭＭが与えられない場合、コマンド処理部４２は、ＥＣＭおよびＥＥＭが与えられるまで待機する。
【０２２７】
ＳＴＢ２０からＥＣＭおよびＥＭＭが与えられた場合、コマンド処理部４２は、図１のペアリング状態保持部４４に記憶された記憶内容、すなわちペアリングの状態の読み込みを行う（ステップＳ６２）。そして、コマンド処理部４２は、読み込んだ記憶内容に基づいて、ペアリングが一致状態であるか否かを判別する（ステップＳ６３）。
【０２２８】
ペアリングが一致状態である場合、コマンド処理部４２は、図１の限定受信処理部４５を制御して限定受信処理を行うことにより、復号化された鍵情報、または番組が契約されていない旨の信号をＳＴＢ２０に与える（ステップＳ６４）。
【０２２９】
ステップＳ６３において、ペアリングが一致状態でない場合、コマンド処理部４２は、ペアリングが不一致状態である旨の信号をＳＴＢ２０に与える（ステップＳ６６）。このようにして、放送信号受信プログラムに基づくコマンド処理部４２の動作が終了する。
【０２３０】
（４）  他の実施の形態
デジタル放送受信システム１は、以下の構成を有してもよい。
【０２３１】
（４−１）
上記実施の形態では、ＣＡＳカード４０のコマンド処理部４２がＳＴＢ２０のＳＴＢ−ＩＤとＳＴＢ−ＩＤ保持部４３に記憶されているＳＴＢ−ＩＤとを比較し、２つのＳＴＢ−ＩＤが一致するか否かを判定しているが、この比較動作および判定動作は、ＳＴＢ２０の制御部２５が行ってもよい。
【０２３２】
（４−２）
上記のように、制御部２５が比較動作および判定動作を行う場合、デジタル放送受信システム１は以下の構成を有してもよい。
【０２３３】
図８は、本発明の他の実施の形態に係るデジタル放送受信システム１の構成を示す図である。図８のデジタル放送受信システム１が、図１のデジタル放送受信システム１と異なる点を説明する。
【０２３４】
図８のデジタル放送受信システム１は、図１のデジタル放送受信システム１と同様に、ＳＴＢ２０およびＣＡＳカード４０からなる。
【０２３５】
本例のデジタル放送受信システム１においては、ＳＴＢ２０にＳＴＢ−ＩＤが割り当てられる代わりに、ＣＡＳカード４０に予め固有の番号として識別番号（以下、ＣＡＳ−ＩＤと呼ぶ）が割り当てられている。
【０２３６】
図８のデジタル放送受信システム１において、ＳＴＢ２０には、図１のＳＴＢ−ＩＤ通知部２６およびＳＴＢ−ＩＤ保持部２７に代えて、ＣＡＳ−ＩＤ保持部２７０が設けられる。
【０２３７】
また、ＣＡＳカード４０には、図１のＳＴＢ−ＩＤ保持部４３に代えて、ＣＡＳ−ＩＤ通知部４３０およびＣＡＳ−ＩＤ保持部４３１が設けられる。ＣＡＳ−ＩＤは、ＣＡＳカード４０のＣＡＳ−ＩＤ保持部４３１に保持されている。
【０２３８】
本例では、ＳＴＢ２０とＣＡＳカード４０とが接続された状態で、ＣＡＳ−ＩＤ通知部４３０が予めＣＡＳカード４０に割り当てられたＣＡＳ−ＩＤをＣＡＳ−ＩＤ保持部４３１からＳＴＢ２０に通知する。それにより、ＳＴＢ２０においては、ＣＡＳ−ＩＤがＣＡＳ−ＩＤ保持部２７０に記憶される。
【０２３９】
これにより、ＣＡＳカード４０と、そのＣＡＳ−ＩＤが記憶されたＳＴＢ２０との間で固有の組み合わせが設定される（ペアリング設定）。
【０２４０】
この組み合わせの設定は、ＳＴＢ２０の制御部２５が行う。そして、さらに制御部２５は、ＣＡＳカード４０のＣＡＳ−ＩＤとＣＡＳ−ＩＤ保持部２７０に記憶されているＣＡＳ−ＩＤとを比較し、２つのＣＡＳ−ＩＤが一致するか否かを判定する。
【０２４１】
それにより、図１のデジタル放送受信システム１と同様に、デジタル放送受信プログラム（ペアリング設定プログラム、ペアリングチェックプログラムおよび放送信号受信プログラム）に基づく処理が行われる。
【０２４２】
また、図８の点線で示すように、ＣＡＳカード４０にペアリング状態保持部４４を設ける代わりに、ＳＴＢ２０にペアリング状態保持部４４を設けてもよい。この場合、図８のＳＴＢ２０に設けられるペアリング状態保持部４４にＳＴＢ２０とＣＡＳカード４０とのペアリングに関する情報が記憶される。
【０２４３】
（４−３）
さらに、上記実施の形態に係るデジタル放送受信システム１においては、放送信号のスクランブルを解除するための装置（デジタル放送受信装置）としてＳＴＢ２０を例示しているが、デジタル放送受信装置はＳＴＢ２０に限らない。
【０２４４】
デジタル放送受信装置は、放送信号のスクランブルを解除する機能を有すれば、パーソナルコンピュータ、ＤＶＤ（ Digital Versatile Disc ）レコーダ、携帯電話等のデジタル放送受信機能を備える種々のデジタル放送受信装置であってもよい。
【０２４５】
（４−４）
また、上記実施の形態では、放送信号の限定受信処理を行う装置（限定受信処理装置）としてＣＡＳカード４０を例示しているが、限定受信処理装置はＣＡＳカード４０に限らない。
【０２４６】
限定受信処理装置は、放送信号の限定受信処理を行う機能を有すれば、パーソナルコンピュータ、携帯型の小型コンピュータ、携帯電話、ＣＡＳカード以外のＩＣカード等の記憶機能を備える処理装置であってもよい。
【０２４７】
（４−５）
上記実施の形態では、デジタル放送受信システム１をＣＡＴＶ局１０から放送される有線デジタル放送を受信するシステムとして説明したが、デジタル放送受信システム１は、有線デジタル放送に限らず、地上波デジタル放送、ＢＳ（放送衛星）デジタル放送等の他のデジタル放送にも同様に適用できる。
【０２４８】
また、上記の実施の形態では、ペアリング設定指示信号を放送信号に多重して送信したが、ケーブルモデムを有するＳＴＢの場合、ケーブル局からＩＰ通信で対象ＳＴＢに送信してもよい。
【０２４９】
（５）  各構成部の実現方法
上記実施の形態においては、図１および図８で示すＳＴＢ２０およびＣＡＳカード４０の構成部の一部がソフトウェアにより機能的に実現され、他の部分が電気回路等のハードウェアにより実現されてもよい。または、ＳＴＢ２０およびＣＡＳカード４０の構成部の全てがハードウェアにより実現されてもよい。
【０２５０】
なお、ＳＴＢ−ＩＤ通知部２６および限定受信処理部４５はソフトウェアにより機能的に実現されることが好ましい。
【０２５１】
特に、ＳＴＢ−ＩＤ通知部２６をソフトウェアにより構成することにより、そのソフトウェアをＣＡＴＶ局１０からＳＴＢ２０にダウンロードすることで、既存のＳＴＢに容易に本デジタル放送受信システム１の構成を設けることができる。
【０２５２】
（６）  効果
本実施の形態に係るデジタル放送受信システム１においては、ペアリング設定時に、ＣＡＳカード４０のＳＴＢ−ＩＤ保持部４３に接続されたＳＴＢ２０のＳＴＢ−ＩＤが保持されるので、予めＳＴＢ２０とＣＡＳカード４０との対応関係を示す情報を作成して、ＳＴＢ２０およびＣＡＳカード４０に設定する必要がない。これにより、ＳＴＢ２０とＣＡＳカード４０との対応関係を容易かつ低コストで設定することができる。
【０２５３】
また、ＳＴＢ２０に対応しないＣＡＳカード４０が接続されている場合には放送信号のスクランブルが解除されず、コンテンツが出力されない。
【０２５４】
したがって、一部のコンテンツの視聴を許可されている受信契約者が、他のコンテンツの視聴を許可されている受信契約者の限定受信処理装置を借りることにより、許可されていないコンテンツを不正に視聴することを防止することができる。
【０２５５】
（７）  請求項の各構成要素と実施の形態の各部との対応
以下、請求項の各構成要素と実施の形態の各部との対応の例について説明するが、本発明は下記の例に限定されない。
【０２５６】
上記実施の形態においては、ＳＴＢ２０がデジタル放送受信装置に相当し、ＣＡＳカード４０が限定受信処理装置に相当し、コマンド処理部４２が判定部および解除制御部に相当し、デスクランブル部２３がスクランブル解除部に相当し、ＳＴＢ−ＩＤ保持部２７に保持され、予めＳＴＢ２０に割り当てられたＳＴＢ−ＩＤが第１の識別子に相当し、ＳＴＢ−ＩＤ保持部２７が第１の保持部に相当する。
【０２５７】
また、限定受信処理部４５が解除情報供給部に相当し、ＳＴＢ−ＩＤ保持部４３に記憶されたＳＴＢ−ＩＤが第２の識別子に相当し、ＳＴＢ−ＩＤ保持部４３が第２の保持部に相当し、ペアリング設定時が設定動作時に相当し、ペアリングチェック時が判定動作時に相当する。
【０２５８】
さらに、ペアリング状態保持部４４が記憶部に相当し、制御部２５が判定指令部に相当し、ＣＡＴＶ局１０のヘッドエンド１１、リモートコントローラ３１および設定用スイッチ３２が識別子設定指令部に相当し、ＳＴＢ−ＩＤ通知部２６が通知部に相当し、制御部２５およびデコーダ部２４が出力装置に相当する。
【産業上の利用可能性】
【０２５９】
本発明は、デジタル放送に使用される限定受信方式の分野で利用可能である。
【図面の簡単な説明】
【０２６０】
【図１】本発明の一実施の形態に係るデジタル放送受信システムの構成を示すブロック図
【図２】ペアリング設定プログラムのフローチャート
【図３】ペアリング設定プログラムのフローチャート
【図４】ペアリングチェックプログラムのフローチャート
【図５】ペアリングチェックプログラムのフローチャート
【図６】放送信号受信プログラムのフローチャート
【図７】放送信号受信プログラムのフローチャート
【図８】本発明の他の実施の形態に係るデジタル放送受信システムの構成を示す図
【図９】限定受信方式の概要を説明するための図
【符号の説明】
【０２６１】
１  デジタル放送受信システム１
１０  ＣＡＴＶ局
１１  ヘッドエンド
２０  ＳＴＢ
２３  デスクランブル部
２４  デコーダ部
２５  制御部
２６  ＳＴＢ−ＩＤ通知部
２７  ＳＴＢ−ＩＤ保持部
２９  接続状態検出部
３１  リモートコントローラ
３２  設定用スイッチ
４０  ＣＡＳカード
４２  コマンド処理部
４３  ＳＴＢ−ＩＤ保持部
４４  ペアリング状態保持部
４５  限定受信処理部
【図１】
2007288476.tif 000003
【図２】
2007288476.tif 000004
【図３】
2007288476.tif 000005
【図４】
2007288476.tif 000006
【図５】
2007288476.tif 000007
【図６】
2007288476.tif 000008
【図７】
2007288476.tif 000009
【図８】
2007288476.tif 000010
【図９】
2007288476.tif 000011